(57)【要約】【課題】作業者が刈払作業中に臨機に携帯用刈払機を最適な吊高さに調節すること及び作業者の腕の長さの範囲で前後左右に遊動することが可能となる肩掛けベルトを実現させること【解決手段】肩ベルト１には伸縮体３が取り付けられ、該伸縮体のもう一端は吊具７に連結され、肩ベルト１の作業者３１の胸部の近傍位置には該作業者の胸を巻く胸ベルト２が略十字に取り付いており、該胸ベルトには着脱用の金具、着脱具５が設けられている携帯用刈払機の肩掛けベルト。【選択図】図１
2011160717.tif 000002
【特許請求の範囲】
【請求項１】
携帯用刈払機の肩掛けベルトであり、肩ベルト（１）には伸縮体（３）が取り付けられ、該伸縮体のもう一端は吊具（７）に連結され、該肩ベルトの作業者（３１）の胸部の近傍及び背中の位置には該作業者の胸を巻く胸ベルト（２）が取り付いていることを特徴とする携帯用刈払機の肩掛けベルト。
【請求項２】
上記の携帯用刈払機の肩掛けベルトであり、肩ベルト（１１）の両端には伸縮体（１３）が取り付けられ、該伸縮体のそれぞれのもう一端は吊具（７）に連結され環形となることを特徴とする請求項１に記載の携帯用刈払機の肩掛けベルト。
【発明の詳細な説明】
【技術分野】
【０００１】
本発明は、携帯用刈払機の肩掛けベルトに関するものである。
【背景技術】
【０００２】
一般に肩掛式刈払機と呼ばれる作業者が肩に吊り下げて作業をする形式の携帯用刈払機は、前端に刈刃装置後端に原動機を備えた杆状のアウターパイプの内部に原動機の回転力を刈刃装置に伝える駆動軸が貫いており、アウターパイプの本体重心付近に吊具、及び吊具の前方に操作桿としてＵ字ハンドルが固定具を介して設けられ、作業者は肩掛ベルトに吊具を接続しＵ字ハンドルの両端を持ち刈払装置を左右に振ることで刈払い作業をする。
【０００３】
肩掛式刈払機には、Ｕ字ハンドルに代えてループハンドルが設けられる場合があり、該ループハンドル及びアウターパイプに被着した握り手を持ち操作桿とする。また、一般に一本桿と呼ばれる肩掛式刈払機は、握り手をアウターパイプの２箇所に被着し、該アウターパイプを操作桿とする。
【０００４】
また、一般に背負い式刈払機と呼ばれる携帯用刈払機は、前端に刈刃装置を備え作業者に背負われた原動機部に連結されたフレクシブルシャフトはフレクシブルチューブに内包され、該フレクシブルシャフトに連結された駆動軸はアウターパイプに内包されており、原動機の回転力を刈刃装置に伝える。一般的に背負い式自在刈払機においてはアウターパイプに取り付けたループハンドル及び被着したグリップを持ちこれを操作桿として刈払装置を前後左右に動かすことで刈払い作業をする。
【０００５】
【特許文献１】実用新案第３１５１６４１号
【特許文献２】特開２００３−２５９７１３号公報
【特許文献３】実開平５−２１６１８
【特許文献４】実開平５−２１６１９
【０００６】
特許文献１の肩掛バンドは、刈払機の吊高さをラチェット式荷締め機によって調整することができる。しかし、作業しながらの刈払機の吊高さを調節は難しい。
【０００７】
特許文献２は刈払機を肩掛けベルトの吊具を前後の２点で支持するため安定性は増すが、操作性においての自由度が制限されるおそれがある。
【０００８】
特許文献３及び４の草払機用背負い具は巻きバネによって吊り下げることにより、該巻きバネの伸縮を利用し作業者の腕及び上腕の疲労の低減を図られ、刈払機の高さを変化させることが可能となる効果が期待できるが、部品点数が多いため重荷、嵩高及び高コストとなる恐れがある、また機器が背中にあるための不均衡によって作業性の自由度が制限されるおそれがある。
【発明の概要】
【発明が解決しようとする課題】
【０００９】
以上に述べた従来の刈払機の肩掛けベルトは、刈払機の吊高さの調節は留め金具によってベルトの長さを変化させることで行っている。しかし、作業を中断することなく臨機に刈払機の吊高さを変えることは不可能であり、また刈払機を作業者の腕の伸びる範囲で適宜に前後左右に遊動させることが困難であった。
【００１０】
本発明は、このような従来の肩掛けベルトが有していた問題を解決しようとするものであり、作業者が刈払い作業を中断することなく臨機に刈払機を最適な吊高さ及び作業者の腕の伸びる範囲で前後左右に遊動することが可能となる肩掛けベルトを実現させることを目的とするものである。
【発明の開示】
【課題を解決するための手段】
【００１１】
そして、本発明は上記目的を達成するために、肩ベルトに伸縮体が取り付けられ、伸縮体のもう一端は吊具に連結されており、肩ベルトの作業者の胸部の近傍位置には作業者の胸を巻く胸ベルトが略十字又は略丁字に取り付いており、該胸ベルトには着脱用の器具が設けられているものである。また、肩ベルト及び胸ベルトには長さを調節する機能を有する。     
【００１２】
また、肩ベルトの両端には伸縮体が取り付けられ、該伸縮体のそれぞれのもう一端は吊具に連結され環形となり、肩ベルトの作業者の胸部の近傍位置には作業者の胸を巻く胸ベルトが略十字に取り付いており、該胸ベルトには着脱用の器具が設けられているものである。また、肩ベルト及び胸ベルトには長さを調節する機能を有する。
【００１３】
上記第1の課題解決手段による作用は次の通りである。すなわち、まず作業者は肩ベルトを片掛けし、次に肩ベルトに略十字又は略丁字に取り付いた胸ベルトを胸にあて留め具によって巻着する。そして、肩ベルトの下部にある伸縮体に取り付けられている吊具で刈払機を懸吊する。この時の伸縮体は刈払機の重量により幾分伸びた状態であり、刈払機は適宜な高さ位置に調整される。
【００１４】
また、伸縮体は刈払機の重量が負荷された後にも、適宜な長さまでの伸縮幅を有する弾性力をもつことから、該伸縮体は作業者が操作ハンドルを持って刈払機を上動するための助力となり、また下動時には該伸縮体は延伸することが可能である。また、作業者の腕の伸びる範囲で前後左右に遊動することが可能となる。  
【００１５】
第２の課題解決手段による作用は、上記第1の課題解決手段による作用と同様である。
【発明の効果】
【００１６】
上述したように本発明の携帯用刈払機の肩掛けベルトは、肩に肩ベルトを片掛けすることで伸縮体が作業者の脇下の位置に懸吊する、胸ベルトは肩ベルトが肩からずり落ちない機能を果たすため、刈払機の重量の直接的影響はうけないことから、刈払機を懸吊した場合にも作業者の胸を圧迫しない。
【００１７】
一方、従来の刈払機用肩掛けベルトは肩から腰にかけて斜め掛けすることから、刈払機を懸吊する時には作業者の胸を常に圧迫し作業者に不快感を与えている。また、従来の刈払機用肩掛けベルトのベルト部分に伸縮機能を持たせた場合には、作業者の胸を一層圧迫してしまう。
【００１８】
本発明の伸縮体は刈払機の重量が負荷された後にも、適宜な長さまでの伸縮幅を有する弾性力をもつことから、該伸縮体は作業者が操作ハンドルを持って刈払機を上動するための助力となり、また下動時に該伸縮体は延伸することが可能であることから、刈り払い作業中に臨機に作業者の意思に適応した刈払機の上下動が可能となり、また作業者の腕の伸びる範囲で前後左右に遊動することが可能となる。
【００１９】
上記のように、刈り払い作業の際に臨機に作業者の意思に適応した刈払機の上下動が可能となると刈払機の刈刃部が常に最適な角度での作業が可能となり、刈刃部が地面等に当たることによる回転力の低下及び刈払われた草等の作業者への著しい飛散、また金属製刈刃の損傷や樹脂製カッターコードの著しい摩耗の原因となる刈払機の刈刃部の刈払い対象物への不適当な角度での作業が減少する。
【００２０】
また、刈り払い作業の際に臨機に作業者の意思に適応した刈払機の前後左右に遊動が可能となると、土手や田畑の畦などの様々な作業環境にすばやく対応することが可能となる。
【図面の簡単な説明】
【００２１】
【図１】本発明の第１の実施形態を示す斜視図
【図２】本発明の第２の実施形態を示す斜視図
【図３】本発明の第１の実施形態の使用状況を示す斜視図
【図４】本発明の第２の実施形態の使用状況を示す斜視図
【図５】本発明の第１の実施形態の使用状況を示す斜視図
【発明を実施するための形態】
【００２２】
以下、本発明の実施の形態を図１〜図３に基づいて説明する。
【００２３】
図１に示すように、肩ベルト１には伸縮体３が取り付けられ、伸縮体３のもう一端は吊具７に連結され、肩ベルト１の作業者３１の胸部の近傍及び背中の位置には作業者３１の胸を巻く胸ベルト２が略十字に取り付いている。また胸ベルト２には、容易に着脱が可能となる器具（着脱具５）を取り付けることが可能であり、肩ベルト１及び胸ベルト２には長さを調節する機能を有する器具（調節具４）を取り付けることが可能である。
【００２４】
図２に示すように、肩ベルト１１の両端には伸縮体１３が取り付けられ、伸縮体１３のそれぞれのもう一端は吊具７に連結され環形となる肩ベルト１１の作業者３１の胸部の近傍及び背中の位置には作業者３１の胸を巻く胸ベルト１２が略十字に取り付いている。また、本発明の第１の実施形態と同様に胸ベルト１２には、容易に着脱が可能となる器具（着脱具５）を取り付けることが、また肩ベルト１１及び胸ベルト１２には長さを調節する機能を有する器具（調節具４）を取り付けることが可能である。
【００２５】
図３に示すように、本発明の第1の実施形態を作業者３１の装着した状態である。また肩ベルト１には肩パット６を取り付けることが可能である。
【００２６】
図４に示すように、本発明の第２の実施形態２を作業者３１の装着した状態である。また肩ベルト１には肩パット６を取り付けることが可能である。
【００２７】
図５に示すように、本発明の第１の実施形態を用いて肩掛け式刈払機により刈払い作業を行う作業者３１である。また、本発明は肩掛け式刈払機にとどまらず、背負い式刈払機のアウターパイプに取り付けることも可能である。
【００２８】
伸縮体３、１３は、ゴム類、金属製バネ及び合成樹脂製バネ等の弾性素材を材料とし、単独または併用し構成される。
【００２９】
肩パット６は肩ベルト１、１１が作業者３１の肩へのくい込みの防止、肩ベルト１、１１のズレの防止及び防振の機能を有する。
【００３０】
胸ベルト１２の取り付け方法には略十字の他に略丁字形で肩ベルト１１に取り付けることも可能である。
【符号の説明】
【００３１】
１、１１    肩ベルト
２          胸ベルト
３、１３    伸縮体
４          調節具
５          着脱具
６          肩パット
７          吊具
２１        刈払機
２２        操作ハンドル
３１        作業者
【図１】
2011160717.tif 000003
【図２】
2011160717.tif 000004
【図３】
2011160717.tif 000005
【図４】
2011160717.tif 000006
【図５】
2011160717.tif 000007